(57)【特許請求の範囲】
【請求項１】
近距離無線通信を介して送金先の情報と、当該送金先において利用者が享受可能な利益に関する利益情報とが取得された場合は、当該利益情報に基づいて当該送金先に対して送金する送金金額を取得する取得手順と、
前記送金先の情報と、前記送金金額とを用いた所定の決済処理を実行する決済手順と
をコンピュータに実行させるための決済プログラム。
【請求項２】
前記取得手順は、
利用者から送金金額の入力を受け付けるための入力コンテンツを表示させ、入力コンテンツを介して入力された送金金額を取得する
ことを特徴とする請求項１に記載の決済プログラム。
【請求項３】
前記取得手順は、
近距離無線通信を介して前記送金先の情報と、取引対象に関する取引対象情報とが取得された場合は、当該送金先の情報と当該取引対象情報とに基づいて、前記送金金額を取得する
ことを特徴とする請求項１に記載の決済プログラム。
【請求項４】
前記取得手順は、
取引対象の価格を管理する管理装置から、前記送金先と前記取引対象とに対応付けられた前記送金金額を取得する
ことを特徴とする請求項３に記載の決済プログラム。
【請求項５】
前記取得手順は、
複数の取引対象情報が取得された場合は、各取引対象の価格の合計を前記送金金額として取得する
ことを特徴とする請求項３または４に記載の決済プログラム。
【請求項６】
前記取得手順は、
取引対象に対応付けられた送金先が同一である複数の取引対象情報が取得された場合は、各取引対象の価格の合計を前記送金金額として取得する
ことを特徴とする請求項５に記載の決済プログラム。
【請求項７】
前記取得手順は、
近距離無線通信を介して前記送金先の情報と、前記決済プログラムを示す情報とが取得された場合は、前記送金金額を取得する
ことを特徴とする請求項１から６のうちいずれか１つに記載の決済プログラム。
【請求項８】
前記決済手順は、
所定の決済サーバに対し、前記送金先の情報と前記送金金額とを通知する
ことを特徴とする請求項１から７のうちいずれか１つに記載の決済プログラム。
【請求項９】
前記決済手順は、
送金元の情報と前記送金金額とを示す識別情報であって、前記送金先と対応付けられた店舗端末が読み取った際に、当該店舗端末を介して所定の決済サーバに送金元の情報と前記送金金額とを送信させるための識別情報を表示させる
ことを特徴とする請求項１から７のうちいずれか１つに記載の決済プログラム。
【請求項１０】
利用者からの操作に応じて送金先を示す識別情報を撮影する撮影手順
をさらに実行させ、
前記取得手順は、
前記撮影手順により識別情報が撮影された場合は、撮影された識別情報が示す送金先に対して送金する前記送金金額を取得する
ことを特徴とする請求項１から９のうちいずれか１つに記載の決済プログラム。
【請求項１１】
前記撮影手順は、
前記決済プログラムを起動させる操作が行われ、かつ、前記利用者が前記識別情報を撮影するための操作を行った場合は、識別情報を撮影する
ことを特徴とする請求項１０に記載の決済プログラム。
【請求項１２】
近距離無線通信を介して送金先の情報と、当該送金先において利用者が享受可能な利益に関する利益情報とが取得された場合は、当該利益情報に基づいて当該送金先に対して送金する送金金額を取得する取得部と、
前記送金先の情報と、前記送金金額とを用いた所定の決済処理を実行する決済部と
を有することを特徴とする決済装置。
【請求項１３】
コンピュータが実行する決済方法であって、
近距離無線通信を介して送金先の情報と、当該送金先において利用者が享受可能な利益に関する利益情報とが取得された場合は、当該利益情報に基づいて当該送金先に対して送金する送金金額を取得する取得工程と、
前記送金先の情報と、前記送金金額とを用いた所定の決済処理を実行する決済工程と
を含むことを特徴とする決済方法。
【発明の詳細な説明】
【技術分野】
【０００１】
本発明は、決済プログラム、決済装置及び決済方法に関する。
【背景技術】
【０００２】
従来、利用者の取引対象の購入を支援するサービスを提供する技術が知られている。このような技術の一例として、商品に付された光学シンボルを携帯型端末で読み取って商品管理サーバにアクセスし、商品の購入指示を行う決済システムに関する技術が知られている。
【先行技術文献】
【特許文献】
【０００３】
【特許文献１】特開２０１４−０１０５２１号公報
【発明の概要】
【発明が解決しようとする課題】
【０００４】
しかしながら、上述した技術では、利用者にとって利便性が良いとは言えない場合がある。
【０００５】
例えば、上述した技術では、携帯型端末が有するカメラ部で撮影した光学シンボルに対して画像処理を行い、光学シンボルに記録された情報を取得する処理を行う必要がある。したがって、上述した技術では、光学シンボルを撮影する際の周囲の環境や、携帯型端末が有するカメラ部の性能によっては光学シンボルを正確に読み取ることができず、利便性の点で改善の余地がある。
【０００６】
本願は、上記に鑑みてなされたものであって、決済における利用者の利便性を向上させることを目的とする。
【課題を解決するための手段】
【０００７】
本願に係る決済プログラムは、近距離無線通信を介して送金先の情報が取得された場合は、当該送金先に対して送金する送金金額を取得する取得手順と、前記送金先の情報と、前記送金金額とを用いた所定の決済処理を実行する決済手順とをコンピュータに実行させることを特徴とする。
【発明の効果】
【０００８】
実施形態の一態様によれば、決済における利用者の利便性を向上させることできるという効果を奏する。
【図面の簡単な説明】
【０００９】
【図１】図１は、第１の実施形態に係る決済処理の一例を示す図である。
【図２】図２は、第２の実施形態に係る決済処理の一例を示す図である。
【図３】図３は、第３の実施形態に係る決済処理の一例を示す図である。
【図４】図４は、実施形態に係る決済サーバの構成例を示す図である。
【図５】図５は、実施形態に係る口座データベースの一例を示す図である。
【図６】図６は、実施形態に係る商品情報データベースの一例を示す図である。
【図７】図７は、実施形態に係る端末装置の構成例を示す図である。
【図８】図８は、実施形態に係る第２アプリケーションの構成例を示す図である。
【図９】図９は、実施形態に係る決済処理の手順の一例を示すフローチャートである。
【図１０】図１０は、端末装置の機能を実現するコンピュータの一例を示すハードウェア構成図である。
【発明を実施するための形態】
【００１０】
以下に本願に係る決済プログラム、決済装置及び決済方法を実施するための形態（以下、「実施形態」と呼ぶ）について図面を参照しつつ詳細に説明する。なお、この実施形態により本願に係る決済プログラム、決済装置及び決済方法が限定されるものではない。また、以下の各実施形態において同一の部位には同一の符号を付し、重複する説明は省略される。
【００１１】
〔１．実施形態〕
〔１−１．第１の実施形態における提供処理の一例〕
図１を用いて、本実施形態の決済プログラム等により実現される第１の実施形態に係る決済処理について説明する。図１は、第１の実施形態に係る決済処理の一例を示す図である。なお、図１において、実施形態に係る決済プログラムによる決済処理は、端末装置１００によって行われる。つまり、端末装置１００は、実施形態に係る決済プログラムによる制御に従って、実施形態に係る決済処理を実行する。
【００１２】
図１に示すように、実施形態に係る決済システム１は、決済サーバ１０と、端末装置１００と、事業者端末２００とを含む。決済サーバ１０、端末装置１００及び事業者端末２００は、ネットワークＮ（例えば、図４参照）を介して有線または無線により相互に通信可能に接続される。ネットワークＮは、例えば、インターネットなどのＷＡＮ（Wide  Area  Network）である。なお、図１に示した決済システム１には、複数台の決済サーバ１０、複数台の端末装置１００及び複数台の事業者端末２００が含まれていてもよい。
【００１３】
図１に示す決済サーバ１０は、端末装置１００を用いる電子決済に関する電子決済サービスを提供し、各種の決済を行う情報処理装置であり、例えば、サーバ装置やクラウドシステムにより実現される。例えば、決済サーバ１０は、取引対象の提供者（事業者）や取引対象が提供される利用者の口座を管理しており、利用者からの決済要求に従って、口座間における電子マネーの移行等を行うことで、各種決済を実現する。なお、電子マネーとは、例えば、各種企業が独自に用いるポイントや通貨等であってもよく、日本円やドル等の国家により提供される貨幣を電子的に取引可能としたものであってもよい。
【００１４】
図１に示す端末装置１００は、利用者によって利用される情報処理装置である。端末装置１００は、例えば、スマートフォンや、タブレット型端末、ノート型ＰＣ（Personal  Computer）、デスクトップＰＣ、携帯電話機、ＰＤＡ（Personal  Digital  Assistant）等により実現される。また、端末装置１００は、決済サーバ１０によって配信される情報を、ウェブブラウザやアプリケーションにより表示する。なお、図１に示す例では、端末装置１００がＮＦＣ（Near  Field  Communication）リーダーを有するスマートフォンである場合を示す。
【００１５】
図１に示す事業者端末２００は、利用者に取引対象を提供する事業者によって利用される情報処理装置である。事業者端末２００は、例えば、スマートフォンや、タブレット型端末、ノート型ＰＣ、デスクトップＰＣ、携帯電話機、ＰＤＡ等により実現される。また、事業者端末２００は、決済サーバ１０によって配信される情報を、ウェブブラウザやアプリケーションにより表示する。なお、図１に示す例では、事業者端末２００がノート型ＰＣである場合を示す。
【００１６】
〔１−１−１．端末装置１００を用いた決済について〕
ここで、端末装置１００が実行する決済処理に先立ち、端末装置１００を用いた決済（電子決済）の一例について説明する。なお、以下の説明では、店舗Ａに配置された２次元コード（ＱＲコード（登録商標））であって、店舗Ａを識別する店舗識別情報Ｃ１を示す２次元コードを用いて、利用者Ｕが端末装置１００を用いた決済を行う例について説明するが、実施形態は、これに限定されるものではない。以下に説明する決済の一例は、任意の利用者が任意の端末装置１００を用いて、任意の店舗にて決済を行う場合においても適用可能である。また、店舗識別情報Ｃ１は、ＱＲコード（登録商標）のみならず、バーコードや所定のマーク、番号等であってもよい。
【００１７】
例えば、利用者Ｕが店舗Ａにて各種の商品やサービスといった決済対象（取引対象）の利用や購入に伴う決済を行う場合、利用者Ｕは、端末装置１００に予めインストールされた決済用のアプリケーション（以下、単に「決済アプリ」と記載する場合がある）を起動する。そして、利用者Ｕは、決済アプリを介して、店舗Ａに設置された店舗識別情報Ｃ１を撮影する。このような場合、端末装置１００は、決済対象の価格を入力するための画面を表示し、利用者Ｕ或いは店舗Ａの店員から決済金額の入力を受け付ける。そして、端末装置１００は、利用者Ｕを識別する利用者情報と、店舗識別情報Ｃ１（若しくは、店舗識別情報Ｃ１が示す情報、すなわち、店舗Ａを示す情報（例えば、店舗ＩＤ））と、決済金額とを示す決済情報を決済サーバ１０へと送信する。
【００１８】
このような場合、決済サーバ１０は、利用者情報が示す利用者Ｕの口座から、店舗識別情報Ｃ１が示す店舗Ａの口座へと、決済金額が示す額の電子マネーを移行させる。そして、決済サーバ１０は、決済が完了した旨の通知を端末装置１００へと送信する。このような場合、端末装置１００は、決済が完了した旨の画面や所定の音声を出力することで、電子マネーによる決済が行われた旨を通知する。
【００１９】
なお、端末装置１００を用いた決済は、上述した処理に限定されるものではない。例えば、端末装置１００を用いた決済は、店舗Ａに設置された店舗端末を用いたものであってもよい。例えば、端末装置１００は、利用者Ｕを識別するための利用者識別情報を画面上に表示させる。このような場合、店舗Ａに設置された店舗端末は、端末装置１００に表示された利用者識別情報を読み取り、利用者識別情報と、決済金額と、店舗Ａを識別する情報とを示す決済情報を決済サーバ１０へと送信する。このような場合、決済サーバ１０は、利用者識別情報が示す利用者Ｕの口座から、店舗Ａの口座へと、決済金額が示す額の電子マネーを移行させ、店舗Ａの店舗端末或いは端末装置１００に対し、決済が完了した旨の画面や所定の音声を出力させることで、決済が行われた旨を通知してもよい。
【００２０】
また、端末装置１００を用いた決済は、利用者Ｕが予め電子マネーをチャージした口座から店舗Ａの口座へと電子マネーを移行させる処理のみならず、例えば、利用者Ｕが予め登録したクレジットカードを用いた決済であってもよい。このような場合、例えば、端末装置１００は、店舗Ａの口座に対して決済金額の電子マネーを移行させるとともに、利用者Ｕのクレジットカードの運用会社に対し、決済金額を請求してもよい。
【００２１】
〔１−１−２．第１の実施形態の概要について〕
ここで、従来、利用者の取引対象の購入を支援するサービスを提供する技術が知られている。このような技術の一例として、商品に付された光学シンボルを携帯型端末で読み取って商品管理サーバにアクセスし、商品の購入指示を行う決済システムに関する技術が知られている。しかしながら、このような技術では、光学シンボルを撮影する際の周囲の環境や、携帯型端末が有するカメラ部の性能によっては光学シンボルを正確に読み取ることができず、利便性の点で改善の余地がある。
【００２２】
そこで、端末装置１００は、第１の実施形態に係る決済処理を実行する。以下、図１を用いて、端末装置１００が実行する決済処理について説明する。なお、以下の説明では、
端末装置１００が利用者Ｕにより利用され、事業者端末２００が事業者Ｍ１により利用される例を示す。また、以下の説明では、端末装置１００を利用者Ｕと同一視し、事業者端末２００を事業者Ｍ１及び事業者Ｍ１が管理する店舗Ａと同一視する場合がある。すなわち、以下では、利用者Ｕを端末装置１００、事業者Ｍ１及び店舗Ａを事業者端末２００と読み替えることもできる。
【００２３】
まず、決済サーバ１０の管理者は、店舗Ａの店舗ＩＤ及び決済アプリのアプリＩＤを送信するＮＦＣタグと、店舗ＩＤを示す店舗識別情報Ｃ１とを事業者Ｍ１に提供する（ステップＳａ１）。例えば、決済サーバ１０の管理者は、店舗Ａの店舗ＩＤ及び決済アプリのアプリＩＤが記録されたＮＦＣタグＮＴ１を、店舗識別情報Ｃ１が印刷された印刷物（例えば、印刷用紙）に貼付し、当該印刷物を事業者Ｍ１に提供する。
【００２４】
続いて、事業者Ｍ１は、ＮＦＣタグＮＴ１と店舗識別情報Ｃ１とを店舗Ａに配置する（ステップＳａ２）。例えば、事業者Ｍ１は、決済サーバ１０の管理者から提供された印刷物を店舗Ａの店頭（例えば、レジカウンター）に配置する。
【００２５】
続いて、店舗Ａに来店した利用者Ｕは、ＮＦＣタグＮＴ１から、決済アプリのアプリＩＤと店舗Ａの店舗ＩＤとを読み取る（ステップＳａ３）。図１の例において、店舗Ａが提供する取引対象（商品）を購入する利用者Ｕが、上述した決済アプリを用いた決済手法により店舗Ａに対する決済を行うことを希望したものとする。この場合、利用者Ｕは、店舗Ａに配置されたＮＦＣタグＮＴ１にスリープさせた状態の端末装置１００を近づけ、ＮＦＣを介して、ＮＦＣタグＮＴ１から決済アプリのアプリＩＤと店舗Ａの店舗ＩＤとを読み取る。
【００２６】
続いて、端末装置１００は、決済アプリを起動させる（ステップＳａ４）。例えば、端末装置１００は、ＮＦＣタグＮＴ１から決済アプリに関する情報を読み取ったことを示す通知（例えば、プッシュ通知）を、ログイン用の画面上に配置して表示する。そして、端末装置１００は、表示した通知に対する利用者Ｕの選択操作に応じて、決済アプリを起動させる。
【００２７】
続いて、端末装置１００は、店舗Ａに対する決済金額を入力するための入力画面を表示する（ステップＳａ５）。例えば、端末装置１００は、ＮＦＣタグＮＴ１から読み取った決済アプリのアプリＩＤと店舗Ａの店舗ＩＤとに基づいて、決済アプリのコンテンツである入力画面を表示する。具体的な例を挙げると、端末装置１００は、上述した２次元コード等を用いた決済手法において、決済アプリを介して店舗識別情報Ｃ１を撮影した場合に表示する画面を入力画面として表示する。
【００２８】
なお、端末装置１００は、ＮＦＣタグＮＴ１から決済アプリへのディープリンクを読み取った場合、当該ディープリンクの遷移先である入力画面を表示してもよい。
【００２９】
続いて、利用者Ｕは、入力画面に決済金額を入力する（ステップＳａ６）。例えば、利用者Ｕは、店舗Ａにおいて購入する商品について、事業者Ｍ１から提示された価格を入力画面に入力する。
【００３０】
続いて、事業者Ｍ１は、利用者Ｕが入力した決済金額を確認する（ステップＳａ７）。例えば、事業者Ｍ１は、利用者Ｕから提示される端末装置１００の入力画面に入力された決済金額と、利用者Ｕに提供する商品の価格とが一致するか否かを確認する。
【００３１】
続いて、端末装置１００は、店舗ＩＤと利用者ＩＤと決済金額とを決済サーバ１０に通知する（ステップＳａ８）。例えば、入力画面に入力された決済金額と、利用者Ｕに提供する商品の価格とが一致すると事業者Ｍ１により確認された場合、端末装置１００は、利用者Ｕの操作に応じて、店舗Ａの店舗ＩＤと、利用者Ｕの利用者ＩＤと、入力画面に入力された決済金額とを示す決済情報を決済サーバ１０へ通知する。
【００３２】
続いて、決済サーバ１０は、端末装置１００から通知された決済情報に基づいて、決済処理を実行する（ステップＳａ９）。例えば、決済サーバ１０は、利用者ＩＤが示す利用者Ｕの口座から、店舗ＩＤが示す店舗Ａの口座へと、決済金額が示す額の電子マネーを移行させる。
【００３３】
以上のように、実施形態に係る端末装置１００は、ＮＦＣタグから読み取った情報に基づいて決済情報を決済サーバ１０に送信する。これにより、実施形態に係る端末装置１００は、暗い場所に設置された店舗識別情報が読み取れない場合や、端末装置１００が有する撮影部が故障し、店舗識別情報を撮影できない場合であっても、上述したＱＲコード（登録商標）等を用いた決済手法と同様の画面表示を行い、決済情報を決済サーバ１０に送信し、決済処理を実行させることができる。すなわち、実施形態に係る端末装置１００は、決済における利用者の利便性を向上させることできる。
【００３４】
〔１−２．第２の実施形態における提供処理の一例〕
なお、本実施形態に係る決済プログラムがＮＦＣタグから読み取る情報は、決済アプリのアプリＩＤや店舗ＩＤに限られない。ここで、図２を用いて、本実施形態の決済プログラム等により実現される第２の実施形態に係る決済処理について説明する。図２は、第２の実施形態に係る決済処理の一例を示す図である。なお、図２において、実施形態に係る決済プログラムによる決済処理は、端末装置１００によって行われる。つまり、端末装置１００は、実施形態に係る決済プログラムによる制御に従って、実施形態に係る決済処理を実行する。
【００３５】
図２に示すように、実施形態に係る決済システム２は、決済サーバ１０と、端末装置１００と、事業者端末２００とを含む。決済サーバ１０、端末装置１００及び事業者端末２００は、ネットワークＮを介して有線または無線により相互に通信可能に接続される。ネットワークＮは、例えば、インターネットなどのＷＡＮである。なお、図２に示した決済システム２には、複数台の決済サーバ１０、複数台の端末装置１００及び複数台の事業者端末２００が含まれていてもよい。
【００３６】
図２に示す決済サーバ１０、端末装置１００及び事業者端末２００は、図１に示す決済システム１と同様の構成であるため、説明を省略する。
【００３７】
〔１−２−１．第２の実施形態の概要について〕
以下、図２を用いて、端末装置１００が実行する決済処理について説明する。なお、以下の説明では、端末装置１００が利用者Ｕにより利用され、事業者端末２００が事業者Ｍ１により利用される例を示す。また、以下の説明では、端末装置１００を利用者Ｕと同一視し、事業者端末２００を事業者Ｍ１及び事業者Ｍ１が管理する店舗Ａと同一視する場合がある。すなわち、以下では、利用者Ｕを端末装置１００、事業者Ｍ１及び店舗Ａを事業者端末２００と読み替えることもできる。
【００３８】
まず、事業者Ｍ１は、店舗Ａにおいて提供する商品に関する商品情報を登録する（ステップＳｂ１）。例えば、事業者Ｍ１は、決済サーバ１０にアクセスし、商品ごとに、価格や説明テキスト、商品画像などを含む商品情報を登録する。そして、決済サーバ１０は、商品情報の登録を受け付け、店舗Ａの店舗ＩＤと、商品を示す情報（商品ＩＤ）と、当該商品の商品情報とを紐付け、記憶部に格納する。
【００３９】
続いて、決済サーバ１０の管理者は、商品ごとに、商品ＩＤ、店舗Ａの店舗ＩＤ及び決済アプリのアプリＩＤを送信するＮＦＣタグと、商品を識別する商品識別情報（例えば、ＱＲコード（登録商標）によって示される商品ＩＤ。以下、「商品ＱＲ」と記載する場合がある）とを提供する（ステップＳｂ２）。例えば、決済サーバ１０の管理者は、店舗Ａの店舗ＩＤ及び決済アプリのアプリＩＤが記録された複数のＮＦＣタグであって、事業者Ｍ１が提供する商品のいずれか一つに対応する商品ＩＤがそれぞれ記録されたＮＦＣタグＮＴ１１、ＮＴ１２、・・・等を、それぞれが記録する商品ＩＤに対応する商品ＱＲ（図２に示す商品ＱＲＣ１１、Ｃ１２、・・・等）が印刷された印刷物に貼付し、当該印刷物を事業者Ｍ１に提供する。以下、事業者Ｍ１に提供したＮＦＣタグＮＴ１１、ＮＴ１２、・・・等をＮＦＣタグＮＴ１０と総称し、商品ＱＲＣ１１、Ｃ１２、・・・等を商品ＱＲＣ１０と総称する場合がある。
【００４０】
続いて、事業者Ｍ１は、ＮＦＣタグＮＴ１０と商品ＱＲＣ１０とを配置する（ステップＳｂ３）。例えば、事業者Ｍ１は、決済サーバ１０の管理者から提供された印刷物を商品タグとして対応する商品に付加し、店舗Ａに各商品を陳列する。
【００４１】
続いて、店舗Ａに来店した利用者Ｕは、ＮＦＣタグＮＴ１０から、商品ＩＤと、店舗Ａの店舗ＩＤと、決済アプリのアプリＩＤとを読み取る（ステップＳｂ４）。例えば、利用者Ｕは、購入対象の商品に付加されたＮＦＣタグＮＴ１０にスリープさせた状態の端末装置１００を近づけ、ＮＦＣを介して、ＮＦＣタグＮＴ１０から当該商品の商品ＩＤと、決済アプリのアプリＩＤと店舗Ａの店舗ＩＤとを読み取る。
【００４２】
続いて、端末装置１００は、決済アプリを起動させる（ステップＳｂ５）。例えば、端末装置１００は、ＮＦＣタグＮＴ１０から決済アプリに関する情報を読み取ったことを示す通知を、ログイン用の画面上に配置して表示する。そして、端末装置１００は、表示した通知に対する利用者Ｕの選択操作に応じて、決済アプリを起動させる。
【００４３】
続いて、端末装置１００は、店舗ＩＤと商品ＩＤとを決済サーバ１０に通知する（ステップＳｂ６）。例えば、端末装置１００は、決済アプリの起動に応じて、ＮＦＣタグＮＴ１０から読み取った店舗ＩＤと商品ＩＤとを決済サーバ１０に通知する。
【００４４】
続いて、決済サーバ１０は、店舗ＩＤと商品ＩＤとに対応する商品情報を端末装置１００に通知する（ステップＳｂ７）。例えば、決済サーバ１０は、記憶部を参照し、通知された店舗ＩＤと商品ＩＤとに紐付けられた商品情報を端末装置１００に通知する。
【００４５】
続いて、端末装置１００は、店舗Ａに対する決済の内容を確認するための確認画面を表示する（ステップＳｂ８）。例えば、端末装置１００は、決済サーバ１０から通知された商品情報と、対応する商品の価格とを示す確認画面を表示する。そして、利用者Ｕは、購入対象の商品と、確認画面に表示された商品情報とが一致するか否か確認する。また、事業者Ｍ１は、利用者Ｕから提示される商品（購入対象の商品）と、確認画面に表示された商品情報とが一致するか否か確認する。
【００４６】
続いて、利用者Ｕは、購入対象の商品の決済に関する決済操作を行う（ステップＳｂ９）。例えば、利用者Ｕ及び事業者Ｍ１の双方で、購入対象の商品と、確認画面に表示された商品情報とが一致していることの確認が取れた場合、利用者Ｕは、確認画面において、店舗Ａに対する決済を行うことを端末装置１００に指示する。
【００４７】
続いて、端末装置１００は、利用者Ｕの決済操作に応じて、店舗ＩＤと利用者ＩＤと決済金額とを決済サーバ１０に通知する（ステップＳｂ１０）。例えば、端末装置１００は、店舗Ａの店舗ＩＤと、利用者Ｕの利用者ＩＤと、確認画面に表示された商品の価格（決済金額）とを示す決済情報を決済サーバ１０へ通知する。
【００４８】
なお、端末装置１００は、事業者Ｍ１からの操作に応じて、決済情報を決済サーバ１０へ通知してもよい。例えば、事業者Ｍ１は、利用者Ｕから提示される商品（購入対象の商品）と、確認画面に表示された商品情報とが一致すると確認した場合、確認画面に表示された商品の価格（決済金額）の決済を認証するための認証操作を端末装置１００に対して行う。具体的な例を挙げると、事業者Ｍ１は、決済を認証するため認証情報（例えば、暗証番号）を端末装置１００に入力、或いは、認証情報を示す２次元コードを端末装置１００に読み取らせる。そして、端末装置１００は、認証操作に応じて決済情報を決済サーバ１０へ通知する。
【００４９】
また、端末装置１００は、複数の商品の商品情報と、対応する各商品の価格の合計額とを示す確認画面を表示してもよい。例えば、確認画面を表示した後、利用者Ｕから決済操作が行われていない状態で新たなＮＦＣタグＮＴ１０を読み取った場合、端末装置１００は、当該ＮＦＣタグＮＴ１０からを読み取った店舗ＩＤと商品ＩＤとを決済サーバ１０に通知し、対応する商品情報と商品の価格とを新たに受け付ける。そして、端末装置１００は、表示済みの商品情報及び新たに受け付けた商品情報と、表示済みの商品の価格及び新たに受け付けた商品の価格の合計額とを示す確認画面を表示する。言い換えると、端末装置１００は、同一の店舗ＩＤが記録されたＮＦＣタグを複数読み取った場合、各ＮＦＣタグに対応する商品情報と、各ＮＦＣタグに対応する商品の価格の合計額とを示す確認画面を表示する。
【００５０】
続いて、決済サーバ１０は、端末装置１００から通知された決済情報に基づいて、決済処理を実行する（ステップＳｂ１１）。例えば、決済サーバ１０は、利用者ＩＤが示す利用者Ｕの口座から、店舗ＩＤが示す店舗Ａの口座へと、決済金額が示す額の電子マネーを移行させる。
【００５１】
以上のように、実施形態に係る端末装置１００は、商品に付加されたＮＦＣタグから読み取った情報に基づき、決済情報を決済サーバ１０に送信する。これにより、実施形態に係る端末装置１００は、商品を店舗のレジに通さずとも、商品の価格を把握し、店舗に対する決済を行うことができる。すなわち、実施形態に係る端末装置１００は、決済における利用者の利便性を向上させることできる。
【００５２】
〔１−３．第３の実施形態における提供処理の一例〕
なお、本実施形態に係る決済プログラムがＮＦＣタグから読み取る情報は、決済サーバ１０の管理者から提供されるＮＦＣタグに予め記録された情報に限られない。ここで、図３を用いて、本実施形態の決済プログラム等により実現される第３の実施形態に係る決済処理について説明する。図３は、第３の実施形態に係る決済処理の一例を示す図である。なお、図３において、実施形態に係る決済プログラムによる決済処理は、端末装置１００によって行われる。つまり、端末装置１００は、実施形態に係る決済プログラムによる制御に従って、実施形態に係る決済処理を実行する。
【００５３】
図３に示すように、実施形態に係る決済システム３は、決済サーバ１０と、端末装置１００と、事業者端末２００とを含む。決済サーバ１０、端末装置１００及び事業者端末２００は、ネットワークＮを介して有線または無線により相互に通信可能に接続される。ネットワークＮは、例えば、インターネットなどのＷＡＮである。なお、図３に示した決済システム１には、複数台の決済サーバ１０、複数台の端末装置１００及び複数台の事業者端末２００が含まれていてもよい。
【００５４】
図３に示す決済サーバ１０、端末装置１００及び事業者端末２００は、図１に示す決済システム１と同様の構成であるため、説明を省略する。
【００５５】
〔１−３−１．第３の実施形態の概要について〕
以下、図３を用いて、端末装置１００が実行する決済処理について説明する。なお、以下の説明では、端末装置１００が利用者Ｕにより利用され、事業者端末２００が事業者Ｍ１により利用される例を示す。また、以下の説明では、端末装置１００を利用者Ｕと同一視し、事業者端末２００を事業者Ｍ１及び事業者Ｍ１が管理する店舗Ａと同一視する場合がある。すなわち、以下では、利用者Ｕを端末装置１００、事業者Ｍ１及び店舗Ａを事業者端末２００と読み替えることもできる。
【００５６】
まず、事業者Ｍ１は、店舗ＩＤと、決済金額とをＮＦＣタグに記録する（ステップＳｃ１）。例えば、事業者Ｍ１は、決済サーバ１０の管理者から提供されたＮＦＣタグであって、決済アプリのアプリＩＤが記録されたＮＦＣタグＮＴ１に対し、事業者端末２００を用いて店舗Ａの店舗ＩＤを記録する。また、事業者Ｍ１は、利用者Ｕに対して提供する商品の価格である決済金額を、事業者端末２００を用いてＮＦＣタグＮＴ１に記録する。具体的な例を挙げると、事業者Ｍ１は、店舗Ａに設置された店舗端末（例えば、ＰＯＳ(Point  Oｆ  System)端末）において読み取った商品の価格である決済金額を、事業者端末２００を用いてＮＦＣタグＮＴ１に記録する。
【００５７】
続いて、利用者Ｕは、ＮＦＣタグＮＴ１から、決済アプリのアプリＩＤと、店舗ＩＤと、決済金額とを読み取る（ステップＳｃ２）。図３の例において、店舗Ａが提供する商品を購入する利用者Ｕが、上述した決済アプリを用いた決済手法により店舗Ａに対する決済を行うことを希望したものとする。この場合、利用者Ｕは、店舗Ａに配置されたＮＦＣタグＮＴ１にスリープさせた状態の端末装置１００を近づけ、ＮＦＣを介して、ＮＦＣタグＮＴ１から決済アプリのアプリＩＤと、店舗Ａの店舗ＩＤと、決済金額とを読み取る。
【００５８】
続いて、端末装置１００は、決済アプリを起動させる（ステップＳｃ３）。例えば、端末装置１００は、ＮＦＣタグＮＴ１から決済アプリに関する情報を読み取ったことを示す通知を、ログイン用の画面上に配置して表示する。そして、端末装置１００は、表示した通知に対する利用者Ｕの選択操作に応じて、決済アプリを起動させる。
【００５９】
続いて、利用者Ｕは、端末装置１００に表示される決済金額を確認する（ステップＳｃ４）。例えば、利用者Ｕは、決済アプリの起動に応じて端末装置１００に表示される、店舗Ａに対する決済金額を確認する。具体的な例を挙げると、利用者Ｕは、店舗Ａに設置された店舗端末に表示された購入対象の商品の金額と、端末装置１００に表示された決済金額とが一致するか否かを確認する。
【００６０】
続いて、端末装置１００は、利用者Ｕの操作に応じて、利用者ＩＤと店舗ＩＤと決済金額とを決済サーバ１０に通知する（ステップＳｃ５）。例えば、利用者Ｕが端末装置１００に表示された決済金額に承服し、当該決済金額の決済を行うことを端末装置１００に指示した場合、端末装置１００は、店舗Ａの店舗ＩＤと、利用者Ｕの利用者ＩＤと、画面に表示した決済金額とを示す決済情報を決済サーバ１０へ通知する。
【００６１】
続いて、決済サーバ１０は、端末装置１００から通知された決済情報に基づいて、決済処理を実行する（ステップＳｃ６）。例えば、決済サーバ１０は、利用者ＩＤが示す利用者Ｕの口座から、店舗ＩＤが示す店舗Ａの口座へと、決済金額が示す額の電子マネーを移行させる。
【００６２】
以上のように、実施形態に係る端末装置１００は、ＮＦＣタグから決済金額を読み取り、決済情報を決済サーバ１０に送信する。これにより、実施形態に係る端末装置１００は、利用者が決済金額を入力する作業を行うことなく、決済サーバ１０に決済処理を実行させることができる。すなわち、実施形態に係る端末装置１００は、決済における利用者の利便性を向上させることできる。
【００６３】
〔２．決済サーバの構成〕
次に、図４を用いて、決済サーバ１０の構成について説明する。図４は、実施形態に係る決済サーバの構成例を示す図である。図４に示すように、決済サーバ１０は、通信部２０と、記憶部３０と、制御部４０とを有する。
【００６４】
（通信部２０について）
通信部２０は、例えば、ＮＩＣ（Network  Interface  Card）等によって実現される。そして、通信部２０は、ネットワークＮと有線または無線で接続され、端末装置１００や、事業者端末２００等との間で情報の送受信を行う。
【００６５】
（記憶部３０について）
記憶部３０は、例えば、ＲＡＭ（Random  Access  Memory）、フラッシュメモリ（Flash  Memory）等の半導体メモリ素子、または、ハードディスク、光ディスク等の記憶装置によって実現される。図４に示すように、記憶部３０は、口座データベース３１と、商品情報データベース３２とを有する。
【００６６】
（口座データベース３１について）
口座データベース３１は、利用者や事業者の口座に関する各種の情報を記憶する。ここで、図５を用いて、口座データベース３１が記憶する情報の一例を説明する。図５は、実施形態に係る口座データベースの一例を示す図である。図５の例において、口座データベース３１は、「口座ＩＤ」、「所有者情報」、「口座残高」といった項目を有する。
【００６７】
「口座ＩＤ」は、口座を識別するための識別情報を示す。「所有者情報」は、口座を所有する所有者（利用者や事業者）に関する情報を示し、例えば、所有者を識別するための識別情報（識別子）が格納される。「口座残高」は、利用者や事業者が所有する口座の残高を示す。
【００６８】
すなわち、図３では、口座ＩＤ「ＡＩＤ＃１」によって識別される口座の所有者の情報が「利用者＃１」であり、口座残高が「７８００」である例を示す。
【００６９】
（商品情報データベース３２について）
商品情報データベース３２は、事業者が提供する取引対象（商品）に関する各種情報を記憶する。ここで、図６を用いて、商品情報データベース３２が記憶する情報の一例を説明する。図６は、実施形態に係る商品情報データベースの一例を示す図である。図６の例において、商品情報データベース３２は、「事業者ＩＤ」、「店舗ＩＤ」、「口座ＩＤ」、「商品ＩＤ」、「商品情報」といった項目を有する。
【００７０】
「事業者ＩＤ」は、事業者を識別するための識別情報を示す。「店舗ＩＤ」は、事業者が管理する店舗を識別するための識別情報を示す。「口座ＩＤ」は、事業者が所有する口座を識別するための識別情報を示す。「商品ＩＤ」は、事業者が提供する商品を識別するための識別情報を示す。「商品情報」は、事業者が提供する商品に関する情報を示し、「価格」、「画像」、「テキスト」といった項目を有する。「価格」は、商品の価格を示す。「画像」は、商品の画像を示す。「テキスト」は、商品の名称や、説明テキストなどといったテキスト情報を示す。
【００７１】
すなわち、図６では、事業者ＩＤ「ＭＩＤ＃１」によって識別される事業者が管理する店舗が店舗ＩＤ「ＳＩＤ＃１」によって識別され、当該事業者が所有する口座が口座ＩＤ「ＡＩＤ＃２」によって識別され、当該事業者が提供する商品のうち、商品ＩＤ「ＣＩＤ＃１」によって識別される商品の価格が「価格＃１」、画像が「画像＃１」、テキストが「テキスト＃１」である例を示す。
【００７２】
（制御部４０について）
制御部４０は、コントローラ（controller）であり、例えば、ＣＰＵ（Central  Processing  Unit）やＭＰＵ（Micro  Processing  Unit）等によって、決済サーバ１０内部の記憶装置に記憶されている各種プログラムがＲＡＭを作業領域として実行されることにより実現される。また、制御部４０は、コントローラであり、例えば、ＡＳＩＣ（Application  Specific  Integrated  Circuit）やＦＰＧＡ（Field  Programmable  Gate  Array）等の集積回路により実現される。実施形態に係る制御部４０は、図４に示すように、受付部４１と、提供部４２と、決済処理部４３とを有し、以下に説明する情報処理の機能や作用を実現または実行する。
【００７３】
（受付部４１について）
受付部４１は、事業者が提供する取引対象に関する情報を受け付ける。例えば、図２の例において、受付部４１は、店舗Ａにおいて提供する商品に関する商品情報の登録を事業者Ｍ１から受け付け、商品情報データベース３２に格納する。
【００７４】
また、受付部４１は、利用者から事業者に対する決済に関する決済情報を受け付けてもよい。例えば、図１の例において、受付部４１は、店舗Ａの店舗ＩＤと、利用者Ｕの利用者ＩＤと、入力画面に入力された決済金額とを示す決済情報を受け付ける。
【００７５】
（提供部４２について）
提供部４２は、事業者が提供する取引対象に関する情報を提供する。例えば、図２の例において、提供部４２は、商品情報データベース３２を参照し、利用者Ｕから通知された店舗ＩＤと商品ＩＤとに紐付けられた商品情報を端末装置１００に通知（提供）する。
【００７６】
（決済処理部４３について）
決済処理部４３は、受付部４１が受け付けた決済情報に従い、決済処理を実行する。例えば、図１の例において、決済処理部４３は、利用者ＩＤが示す利用者Ｕの口座から、店舗ＩＤが示す店舗Ａの口座へと、決済金額が示す額の電子マネーを移行させる。
【００７７】
〔３．提供者端末の構成〕
次に、上述した決済処理を実現するための端末装置１００について図７を用いて説明する。図７は、実施形態に係る端末装置の構成例を示す図である。図７に示すように、端末装置１００は、通信部１１０と、記憶部１２０と、カメラ１３０と、タッチパネル１４０と、ＮＦＣリーダー１５０と、制御部１６０とを有する。
【００７８】
（通信部１１０について）
通信部１１０は、例えば、ＮＩＣ等によって実現される。そして、通信部１１０は、ネットワークＮと有線または無線で接続され、決済サーバ１０や、事業者端末２００等との間で情報の送受信を行う。
【００７９】
（記憶部１２０について）
記憶部１２０は、例えば、ＲＡＭ、フラッシュメモリ等の半導体メモリ素子、または、ハードディスク、光ディスク等の記憶装置によって実現される。
【００８０】
（カメラ１３０について）
カメラ１３０は、画像（動画或いは静止画）を撮像するための撮像装置である。カメラ１３０は、例えば、ＣＣＤ（Charged-coupled  devices）センサやＣＭＯＳ（Complementary  metal-oxide-semiconductor）センサ等の撮像素子により構成される。
【００８１】
（タッチパネル１４０について）
タッチパネル１４０は、液晶ディスプレイ等により実現され、各種情報を表示し、利用者の指や専用ペンで利用者から各種操作を受け付ける入力装置である。
【００８２】
（ＮＦＣリーダー１５０について）
ＮＦＣリーダー１５０は、端末装置１００がＮＦＣタグにかざされることにより、端末装置１００が有する近距離無線通信機能を起動させ、ＦｅｌｉＣａ（登録商標）、Ｗｉｆｉ（登録商標）、Ｂｌｕｅｔｏｏｔｈ（登録商標）等の近距離無線通信によって、ＮＦＣタグに記録された情報を読み取る。例えば、ＮＦＣリーダー１５０は、ＮＦＣタグにＮＤＥＦ（NFC  Data  Exchange  Format）の形式で記録された情報を読み取る。
【００８３】
（制御部１６０について）
制御部１６０は、コントローラであり、例えば、ＣＰＵやＭＰＵ等によって、端末装置１００内部の記憶装置に記憶されている各種プログラムがＲＡＭを作業領域として実行されることにより実現される。また、制御部１６０は、コントローラであり、例えば、ＡＳＩＣやＦＰＧＡ等の集積回路により実現される。
【００８４】
ここで、制御部１６０は、複数のアプリケーションを実行することにより、端末装置１００に関する各種機能を実現することとなる。例えば、図７に示す例において、制御部１６０は、第１アプリケーション１６１や第２アプリケーション１６２を実行している。なお、制御部１６０は、図７に示すアプリケーション以外にも、任意の機能を発揮するための任意の数のアプリケーションを実行してよい。
【００８５】
第１アプリケーション１６１は、端末装置１００のＯＳ（Operating  System）となるアプリケーションである。例えば、第１アプリケーション１６１は、ＮＦＣリーダー１５０を用いてＮＦＣタグの読み取り処理を実行し、第２アプリケーション１６２に対応するアプリＩＤが読み取られた場合、第２アプリケーション１６２を実行する。
【００８６】
第２アプリケーション１６２は、上述した決済処理を端末装置１００に実行させる。以下、図８を用いて、第２アプリケーション１６２が有する機能構成の一例ついて説明する。図８は、実施形態に係る第２アプリケーションの構成例を示す図である。図８に示すように、実施形態に係る第２アプリケーション１６２は、撮影部１６２１と、取得部１６２２と、表示制御部１６２３と、決済部１６２４とを有し、以下に説明する情報処理の機能や作用を実現または実行する。
【００８７】
（撮影部１６２１について）
撮影部１６２１は、利用者からの操作に応じて送金先を示す識別情報を撮影する。例えば、撮影部１６２１は、カメラ１３０を制御し、電子決済による送金先である店舗を示す店舗識別情報（２次元コード）を撮影する。
【００８８】
また、撮影部１６２１は、決済プログラムを起動させる操作が行われ、かつ、利用者が識別情報を撮影するための操作を行った場合は、識別情報を撮影してもよい。例えば、利用者が決済アプリ（第２アプリケーション１６２）を起動し、決済アプリを介して、店舗に設置された店舗識別情報を撮影するための操作を行った場合、撮影部１６２１は、当該店舗識別情報を撮影する。
【００８９】
（取得部１６２２について）
取得部１６２２は、近距離無線通信を介して送金先の情報が取得された場合は、当該送金先に対して送金する送金金額を取得する。例えば、図１の例において、取得部１６２２は、ＮＦＣタグＮＴ１から、店舗Ａの店舗ＩＤがＮＦＣリーダー１５０により読み取られた場合、店舗Ａに対する決済金額を取得する。
【００９０】
また、取得部１６２２は、利用者から送金金額の入力を受け付けるための入力コンテンツを表示させ、入力コンテンツを介して入力された送金金額を取得してもよい。例えば、図１の例において、取得部１６２２は、ＮＦＣタグＮＴ１から読み取られた決済アプリのアプリＩＤと店舗Ａの店舗ＩＤとに基づいて、決済アプリのコンテンツである入力画面を表示させ、入力画面に入力された金額を決済金額として取得する。
【００９１】
なお、入力コンテンツを表示させる処理は、後述する表示制御部１６２３により行われてもよい。
【００９２】
また、取得部１６２２は、近距離無線通信を介して送金先の情報と、取引対象に関する取引対象情報とが取得された場合は、当該送金先の情報と当該取引対象情報とに基づいて、送金金額を取得してもよい。例えば、図２の例において、取得部１６２２は、ＮＦＣタグＮＴ１０から読み取られた店舗ＩＤと商品ＩＤとに基づいて、対応する商品の価格を含む商品情報を取得する。
【００９３】
また、取得部１６２２は、取引対象の価格を管理する管理装置から、送金先と取引対象とに対応付けられた送金金額を取得してもよい。例えば、図２の例において、取得部１６２２は、ＮＦＣタグＮＴ１０から読み取った店舗ＩＤと商品ＩＤと紐付けられた商品情報を、決済サーバ１０から取得する。
【００９４】
また、取得部１６２２は、複数の取引対象情報が取得された場合は、各取引対象の価格の合計を送金金額として取得してもよい。例えば、取得部１６２２は、ＮＦＣタグから読み取られた複数の商品ＩＤに基づき、複数の商品情報を決済サーバ１０から取得した場合、各商品情報が示す商品の価格の合計額を決済金額として取得する。
【００９５】
また、取得部１６２２は、取引対象に対応付けられた送金先が同一である複数の取引対象情報が取得された場合は、各取引対象の価格の合計を送金金額として取得してもよい。例えば、図２の例において、取得部１６２２は、複数のＮＦＣタグＮＴ１０が読み取られ、店舗Ａにおいて提供される商品の商品情報を複数取得した場合、各商品情報が示す商品の価格の合計額を、店舗Ａに対する決済金額として取得する。
【００９６】
なお、取得部１６２２は、近距離無線通信を介して読み取られた金額を、送金金額として取得してもよい。例えば、図３の例において、取得部１６２２は、事業者端末２００を用いてＮＦＣタグＮＴ１に記録された金額（店舗Ａに設置された店舗端末において読み取られた商品の価格）が読み取られた場合、当該金額を店舗Ａに対する決済金額として取得する。
【００９７】
また、取得部１６２２は、近距離無線通信を介して送金先の情報と、決済プログラムを示す情報とが取得された場合は、送金金額を取得してもよい。例えば、図１の例において、取得部１６２２は、店舗Ａの店舗ＩＤと、決済アプリのアプリＩＤとがＮＦＣリーダー１５０により読み取られた場合、店舗Ａに対する決済金額を取得する。
【００９８】
また、取得部１６２２は、撮影部１６２１により識別情報が撮影された場合は、撮影された識別情報が示す送金先に対して送金する送金金額を取得してもよい。例えば、取得部１６２２は、撮影部１６２１により店舗識別情報が撮影された場合、決済対象の価格を入力するための画面を表示し、当該画面に表示された価格を、店舗識別情報が示す店舗への決済金額として取得する。
【００９９】
（表示制御部１６２３について）
表示制御部１６２３は、利用者の操作に応じて端末装置１００の画面（タッチパネル１４０）の表示を制御する。例えば、図１の例において、表示制御部１６２３は、ＮＦＣタグＮＴ１から決済アプリに関する情報を読み取ったことを示す通知を、ログイン用の画面上に配置して表示させる。また、図２の例において、表示制御部１６２３は、決済サーバ１０から通知（取得）された商品情報と、対応する商品の価格とを示す確認画面を表示させる。また、図３の例において、表示制御部１６２３は、ＮＦＣタグＮＴ１から読み取られた店舗Ａに対する決済金額を表示させる。
【０１００】
（決済部１６２４について）
決済部１６２４は、送金先の情報と、送金金額とを用いた所定の決済処理を実行する。例えば、決済部１６２４は、ＮＦＣリーダー１５０により読み取られた情報と、取得部１６２２とに基づいて、決済アプリを用いる決済処理を実行する。
【０１０１】
また、決済部１６２４は、所定の決済サーバに対し、送金先の情報と送金金額とを通知してもよい。例えば、決済部１６２４は、店舗ＩＤと、利用者ＩＤと、取得部１６２２により取得された決済金額とを示す決済情報を決済サーバ１０へ通知する。
【０１０２】
また、決済部１６２４は、送金元の情報と送金金額とを示す識別情報であって、送金先と対応付けられた店舗端末が読み取った際に、当該店舗端末を介して所定の決済サーバに送金元の情報と送金金額とを送信させるための識別情報を表示させてもよい。例えば、決済部１６２４は、利用者を識別するための利用者識別情報を画面上に表示させる。そして、店舗に設置された店舗端末は、端末装置１００に表示された利用者識別情報を読み取り、利用者識別情報と、決済金額と、店舗を識別する情報とを示す決済情報を決済サーバ１０へと送信する。
【０１０３】
なお、利用者を識別するための利用者識別情報を表示させる処理は、表示制御部１６２３により行われてもよい。
【０１０４】
〔４．決済処理のフロー〕
図９を用いて、実施形態に係る端末装置１００の決済処理の手順について説明する。図９は、実施形態に係る決済処理の手順の一例を示すフローチャートである。
【０１０５】
図９に示すように、端末装置１００は、ＮＦＣで決済アプリケーションに対応するアプリＩＤが読み取られたか否かを判定する（ステップＳ１０１）。対応するアプリＩＤが読み取られていない場合（ステップＳ１０１；Ｎｏ）、端末装置１００は、対応するアプリＩＤが読み取られるまで待機する。一方、対応するアプリＩＤが読み取られた場合（ステップＳ１０１；Ｙｅｓ）、端末装置１００は、決済アプリケーションを起動する（ステップＳ１０２）。
【０１０６】
続いて、端末装置１００は、決済金額を入力するための画面を表示する（ステップＳ１０３）。続いて、端末装置１００は、入力された決済金額とＮＦＣで読み取った店舗ＩＤと利用者ＩＤと決済金額とを決済サーバに送信し（ステップＳ１０４）、処理を終了する。
【０１０７】
〔５．変形例〕
上述の実施形態は一例を示したものであり、種々の変更及び応用が可能である。
【０１０８】
〔５−１．ＮＦＣタグに記録される情報について〕
上述の実施形態において、ＮＦＣタグに記録される情報が、店舗ＩＤや決済アプリのアプリＩＤ、商品ＩＤ等である例を示したが、ＮＦＣタグに記録される情報はこのような例に限定されない。例えば、ＮＦＣタグに記録される情報は、決済アプリのパッケージアプリに関する情報（パッケージ名や、パッケージＩＤなど）や、位置情報（店舗の位置や、ＮＦＣタグが設置された位置など）、店舗情報（店舗の名称や、店舗が提供する取引対象の情報（商品情報）など）、店舗の紹介情報（店舗が提供する取引対象の情報や、店舗内の画像、店舗の設備の情報、従業員の情報、店舗の説明テキストなど）などであってもよい。また、ＮＦＣタグに記録される情報は、店舗におけるキャンペーン情報や、取引対象の値引き情報（タイムセールや、所定の期間が経過した商品（例えば、生鮮食品）の値引きなど）、チラシ情報（ＮＦＣタグに対応する店舗のチラシや、関連する店舗（例えば、系列店）のチラシ、同一地域内の他の店舗のチラシなど）などといった、利用者が享受可能な利益に関する利益情報であってもよい。ここで、近距離無線通信を介して利益情報が取得された場合、取得部１６２２は、利益情報に基づいて値引き等が行われた送金金額を取得する。
【０１０９】
なお、ＮＦＣタグには、ＮＦＣタグに記録された情報の書き換えを禁止とする設定が行われてもよい。また、ＮＦＣタグには、ＮＦＣタグに記録された情報の書き込みの認証を行うための認証情報（パスワード）の設定が行われていてもよい。例えば、ＮＦＣタグに情報の書き込み（情報の更新や、情報の追加など）を事業者が事業者端末２００を用いて行う際、ＮＦＣタグは、ＮＦＣタグに予め記録された認証情報（例えば、事業者が設定した認証情報や、決済サーバ１０の管理者から事業者に通知された認証情報）と、事業者が事業者端末２００を介して入力した認証情報とが一致するか否かを判定し、一致した場合に情報の書き込みを認証する。
【０１１０】
〔５−２．近距離無線通信を介して取得された情報に応じた表示制御について〕
上述の実施形態において、取得部１６２２及び表示制御部１６２３が、近距離無線通信を介して取得された情報に基づいて、利用者から送金金額の入力を受け付けるための入力画面や、決済サーバ１０から通知された商品情報と対応する商品の価格とを示す確認画面などを端末装置１００の画面に表示させる例を示したが、取得部１６２２及び表示制御部１６２３による表示制御はこのような例に限定されない。例えば、取得部１６２２及び表示制御部１６２３は、近距離無線通信を介して取得された店舗ＩＤに対応するコンテンツを表示させてもよい。具体的な例を挙げると、取得部１６２２及び表示制御部１６２３は、店舗ＩＤに対応する店舗に関する情報（例えば、取引対象に関する情報や、利用者が利用可能なクーポン、利用者からのレビューなど）を示すストアページを決済サーバ１０や他の外部サーバから取得し、端末装置１００の画面に表示させる。また、取得部１６２２及び表示制御部１６２３は、店舗ＩＤに対応する店舗が提供する各種サービスを示すコンテンツであって、決済アプリにおいて提供されるコンテンツ（例えば、ミニアプリ）を決済サーバ１０から取得し、端末装置１００の画面に表示させる。また、取得部１６２２及び表示制御部１６２３は、店舗ＩＤに対応する店舗に関して利用者が保持するデジタル会員証を決済サーバ１０や他の外部サーバから取得し、端末装置１００の画面に表示させる。
【０１１１】
〔５−３．処理態様について〕
上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１２】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１３】
また、上記してきた各実施形態は、処理内容を矛盾させない範囲で適宜組み合わせることが可能である。
【０１１４】
〔６．効果〕
上述してきたように、実施形態に係る端末装置１００は、撮影部１６２１と、取得部１６２２と、表示制御部１６２３と、決済部１６２４とを有する。撮影部１６２１は、利用者からの操作に応じて送金先を示す識別情報を撮影する。また、撮影部１６２１は、決済プログラムを起動させる操作が行われ、かつ、利用者が識別情報を撮影するための操作を行った場合は、識別情報を撮影する。取得部１６２２は、近距離無線通信を介して送金先の情報が取得された場合は、当該送金先に対して送金する送金金額を取得する。また、取得部１６２２は、利用者から送金金額の入力を受け付けるための入力コンテンツを表示させ、入力コンテンツを介して入力された送金金額を取得する。また、取得部１６２２は、近距離無線通信を介して送金先の情報と、決済プログラムを示す情報とが取得された場合は、送金金額を取得する。また、取得部１６２２は、撮影部１６２１により識別情報が撮影された場合は、撮影された識別情報が示す送金先に対して送金する送金金額を取得する。表示制御部１６２３は、利用者の操作に応じて端末装置１００の画面の表示を制御する。決済部１６２４は、送金先の情報と、送金金額とを用いた所定の決済処理を実行する。また、決済部１６２４は、所定の決済サーバに対し、送金先の情報と送金金額とを通知する。また、決済部１６２４は、送金元の情報と送金金額とを示す識別情報であって、送金先と対応付けられた店舗端末が読み取った際に、当該店舗端末を介して所定の決済サーバに送金元の情報と送金金額とを送信させるための識別情報を表示させる。
【０１１５】
これにより、実施形態に係る端末装置１００は、ＱＲコード（登録商標）等の識別情報を用いた決済手法を用いて決済を実現する共に、識別情報が読み取れない場合にも当該決済手法と同様の決済を実現させることができるため、決済における利用者の利便性を向上させることできる。
【０１１６】
また、実施形態に係る端末装置１００において、例えば、取得部１６２２は、取得部１６２２は、近距離無線通信を介して送金先の情報と、取引対象に関する取引対象情報とが取得された場合は、当該送金先の情報と当該取引対象情報とに基づいて、送金金額を取得する。また、取得部１６２２は、取引対象の価格を管理する管理装置から、送金先と取引対象とに対応付けられた送金金額を取得する。また、取得部１６２２は、複数の取引対象情報が取得された場合は、各取引対象の価格の合計を送金金額として取得する。また、取得部１６２２は、取引対象に対応付けられた送金先が同一である複数の取引対象情報が取得された場合は、各取引対象の価格の合計を送金金額として取得する。
【０１１７】
これにより、実施形態に係る端末装置１００は、商品を店舗のレジに通さずとも、商品の価格を把握し、店舗に対する決済を行うことができるため、決済における利用者の利便性を向上させることできる。
【０１１８】
〔７．ハードウェア構成〕
また、上述してきた各実施形態に係る端末装置１００は、例えば、図１０に示すような構成のコンピュータ１０００によって実現される。以下、端末装置１００を例に挙げて説明する。図１０は、端末装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１９】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２０】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【０１２１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２２】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２３】
例えば、コンピュータ１０００が端末装置１００として機能する場合、コンピュータ１０００のＣＰＵ１１００は、ＲＡＭ１２００上にロードされたプログラムを実行することにより、制御部１６０の機能を実現する。また、ＨＤＤ１４００には、端末装置１００の記憶装置内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【０１２４】
〔８．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２５】
また、上述した端末装置１００は、機能によっては外部のプラットフォーム等をＡＰＩ（Application  Programming  Interface）やネットワークコンピューティングなどで呼び出して実現するなど、構成は柔軟に変更できる。
【０１２６】
また、特許請求の範囲に記載した「部」は、「手段」や「回路」などに読み替えることができる。例えば、撮影部は、撮影手段や撮影回路に読み替えることができる。
【符号の説明】
【０１２７】
１０      決済サーバ
２０      通信部
３０      記憶部
３１      口座データベース
３２      商品情報データベース
４０      制御部
４１      受付部
４２      提供部
４３      決済処理部
１００    端末装置
１１０    通信部
１２０    記憶部
１３０    カメラ
１４０    タッチパネル
１５０    ＮＦＣリーダー
１６０    制御部
１６１    第１アプリケーション
１６２    第２アプリケーション
１６２１  撮影部
１６２２  取得部
１６２３  表示制御部
１６２４  決済部
２００    事業者端末
【要約】      （修正有）【課題】決済における利用者の利便性を向上する決済プログラム、決済装置及び決済方法を提供する。【解決手段】決済システム１において、決済プログラムは、近距離無線通信を介して送金先の情報が取得された場合は、当該送金先に対して送金する送金金額（例えば、利用者により入力された金額や、取引対象情報に対応する取引対象の価格）を取得する取得手順と、送金先の情報と、送金金額とを用いた所定の決済処理（例えば、所定の決済サーバに対し、送金先の情報と送金金額とを通知する処理）を実行する決済手順と、をコンピュータに実行させる。【選択図】図１【図１】
0006838182.tif 000002
【図２】
0006838182.tif 000003
【図３】
0006838182.tif 000004
【図４】
0006838182.tif 000005
【図５】
0006838182.tif 000006
【図６】
0006838182.tif 000007
【図７】
0006838182.tif 000008
【図８】
0006838182.tif 000009
【図９】
0006838182.tif 000010
【図１０】
0006838182.tif 000011